(57)【要約】【課題】衛生面の担保及び迅速に検査が可能な飲料水供給装置用検査装置を提供する。【解決手段】飲料水が貯留されるタンク１４内部を含む検査対象空間ＳＰ１を備えた飲料水供給装置１を検査するために用いられる装置２である。装置２は、有底筒状に形成され、開口端２０ａが飲料水供給装置１に密着する形状であり、密着状態で検査対象空間ＳＰ１と連通する凹部空間ＳＰ２を有する弾性体ヘッド２０と、弾性体ヘッド２０の凹部空間ＳＰ２を介して検査対象空間ＳＰ１の空気を抜くための真空ポンプ２１と、凹部空間ＳＰ２の圧力を計測する圧力計２２と、を有する。【選択図】図２
0003209271.tif 000002
【実用新案登録請求の範囲】
【請求項１】
飲料水が貯留されるタンク内部を含む検査対象空間を備えた飲料水供給装置を検査するために用いられる装置であって、
有底筒状に形成され、開口端が前記飲料水供給装置に密着する形状であり、密着状態で前記検査対象空間と連通する凹部空間を有する弾性体ヘッドと、
前記弾性体ヘッドの前記凹部空間を介して前記検査対象空間の空気を抜くための真空ポンプと、
前記凹部空間の圧力を計測する圧力計と、を備える、飲料水供給装置用検査装置。
【請求項２】
操作部の操作に応じて前記凹部空間へ外気を取り込むための流入路が形成されており、前記流入路にはエアフィルタが設けられている、請求項１に記載の装置。
【請求項３】
前記弾性体ヘッド、前記真空ポンプ及び前記圧力計の全てが一体的に固定されたハンディタイプである、請求項１又は２に記載の装置。
【考案の詳細な説明】
【技術分野】
【０００１】
本考案は、飲料水供給装置用検査装置に関する。
【背景技術】
【０００２】
オフィス、病院、一般家庭などの様々な場所に設置可能な飲料水供給装置が知られている。飲料水供給装置の一例としては、水（製品水）が予め充填されたボトル（飲料容器）を飲料水供給装置の本体に取り付けておき、ユーザによる給水コックの操作に基づいてボトルの水を装置の給水管から外部に供給する。この種の飲料供給装置は、ガロンボトルなどの飲料容器が装置本体に対して着脱可能に構成されている。
【先行技術文献】
【特許文献】
【０００３】
【特許文献１】特開２０１２−２１８７４８号公報
【考案の概要】
【考案が解決しようとする課題】
【０００４】
上記飲料水供給装置は、飲料容器が接続される接続口、飲料水を貯蔵するタンク、給水管、給水口の順に水が通り、水が抜けるときの圧力によって飲料容器から飲料が供給されるようになっている。そのため、飲料容器が接続される接続口から、タンク、給水管、給水口までが密閉構造になっている必要がある。
【０００５】
一般に、装置は、各々部品を組み付けて製造される。部品自体に破損がある場合、又は、組み付けが不良である場合は、密閉構造が確保されない。組立後に飲料容器を装着して、水の漏れが発生するか否かで検査可能であるが、漏れが微量である場合には、水漏れが確実に確認できるまで数時間必要となり、組立後の検査工程に採用するには実用的ではない。
【０００６】
また、飲料水供給装置の密閉構造は、衛生の観点から内部を清潔な状態に確保する必要がある。
【０００７】
本考案は、このような課題に着目してなされたものであって、その目的は、衛生面の担保及び迅速に検査が可能な飲料水供給装置用検査装置を提供することである。
【課題を解決するための手段】
【０００８】
本考案は、かかる目的を達成するために、次のような手段を講じたものである。
【０００９】
すなわち、本考案の飲料水供給装置用検査装置は、飲料水が貯留されるタンク内部を含む検査対象空間を備えた飲料水供給装置を検査するために用いられる装置であって、有底筒状に形成され、開口端が前記飲料水供給装置に密着する形状であり、密着状態で前記検査対象空間と連通する凹部空間を有する弾性体ヘッドと、前記弾性体ヘッドの前記凹部空間を介して前記検査対象空間の空気を抜くための真空ポンプと、前記凹部空間の圧力を計測する圧力計と、を備える。
【００１０】
この構成によれば、真空ポンプにより凹部空間を通じて検査対象空間の圧力を周囲の気圧よりも低い圧力にし、圧力が一定時間維持されることを圧力計にて確認可能である。圧力が一定時間維持できなければ、検査対象空間が密閉構造になっておらず不良と判断できる。圧力が一定時間維持できれば、検査対象空間が密閉構造になっていると判断できる。
さらに、ポンプで空気を入れて加圧する場合は清潔とはいえない空気を検査対象空間に入れることになるので、衛生面で問題がある。しかし、本考案では、検査対象空間から空気を抜くだけであり、衛生面を確保可能である。
【図面の簡単な説明】
【００１１】
【図１】飲料水供給装置を示す図。
【図２】飲料水供給装置用検査装置を示す図。
【考案を実施するための形態】
【００１２】
以下、本考案の一実施形態の検査装置を、図面を参照して説明する。
【００１３】
図１に示すように、飲料水供給装置１の本体１３には、飲料水が予め充填された飲料容器１２を着脱可能に構成されている。本体１３に取り付けられた飲料容器１２内の飲料水は、本体１３に備えられたタンク１４内に自重により自動的に供給され、貯留させるようになっている。
【００１４】
本体１３には、タンク１４内の飲料水を供給するための給水管１５及び、給水管１５を介して飲料水を外部に供給するための給水口１６、給水口１６から飲料水を供給するために操作する操作部であるコック１７が設けられている。この例では、冷水を供給する場合と、加熱された飲料水を供給する場合とで、それぞれ異なるタンク１４、給水管１５、給水口１６及びコック１７が設けられている。
【００１５】
タンク１４、給水管１５及び給水口１６は、飲料水を貯留するために密閉構造に形成されている。密閉構造により、タンク１４内の水位が所定水位である場合に、内部の圧力が保たれる。密閉構造でなく、隙間があると、タンク１４内の水位が所定水位に保てず、飲料容器１２から水が供給され続けて、当該隙間から水が漏れることになる。よって、図２に示すように、飲料水が貯留されるタンク１４内部を含む空間が検査対象空間ＳＰ１となる。
【００１６】
飲料水供給装置用検査装置２は、図２に示すように、凹部空間ＳＰ２を有する弾性体ヘッド２０と、真空ポンプ２１と、圧力計２２と、を有する。
【００１７】
弾性体ヘッド２０は、ゴム等の弾性部材で形成され、有底筒状に形成されている。弾性体ヘッド２０の開口端２０ａは、飲料水供給装置１に密着する形状であり、密着状態で検査対象空間ＳＰ１と凹部空間ＳＰ２とが連通する。弾性体ヘッド２０は、検査対象空間ＳＰ１と連通すれば、飲料水供給装置１の完成状態に押し当ててもよいし、本体１３を構成する複数の部材のうち一部の部材を取り外すことでタンク１４を露出させ、露出させたタンク１４と弾性体ヘッド２０とを密着するようにしてもよい。
【００１８】
真空ポンプ２１は、弾性体ヘッド２０の凹部空間ＳＰ２を介して検査対象空間ＳＰ１の空気を抜く。真空ポンプ２１は、手動式でも電動式でもどちらでもよい。
【００１９】
圧力計２２は、凹部空間ＳＰ２の圧力を計測する。圧力計２２は、デジタル式でもよく、アナログ式でもよい。
【００２０】
検査装置２に操作部を設け、操作部の操作により真空ポンプ２１が自動で凹部空間ＳＰ２の空気を抜くようにし、圧力計２２で計測される圧力が所定の減圧状態になるまで、真空ポンプ２１による減圧を継続し、所定の減圧状態になれば、真空ポンプ２１の作動を停止するように構成してもよい。
【００２１】
図２に示すように、操作部の操作に応じて凹部空間ＳＰ２へ外気を取り込むための流入路２３が設けられている。流入路２３には、エアフィルタ２４が設けられている。
【００２２】
同図に示すように、弾性体ヘッド２０、真空ポンプ２１、圧力計２２、流入路２３、及びエアフィルタ２４を含む全ての部材は一体的に固定されており、検査装置２は片手で持つことが可能なハンディタイプに構成されている。勿論、各々の部品がチューブなどで接続され、片手で持つことができない形態にしてもよい。
【００２３】
以上のように、本実施形態の飲料水供給装置用検査装置２は、飲料水が貯留されるタンク１４内部を含む検査対象空間ＳＰ１を備えた飲料水供給装置１を検査するために用いられる装置２であって、有底筒状に形成され、開口端２０ａが飲料水供給装置１に密着する形状であり、密着状態で検査対象空間ＳＰ１と連通する凹部空間ＳＰ２を有する弾性体ヘッド２０と、弾性体ヘッド２０の凹部空間ＳＰ２を介して検査対象空間ＳＰ１の空気を抜くための真空ポンプ２１と、凹部空間ＳＰ２の圧力を計測する圧力計２２と、を備える。
【００２４】
この構成によれば、真空ポンプ２１により凹部空間ＳＰ２を通じて検査対象空間ＳＰ１の圧力を周囲の気圧よりも低い圧力にし、圧力が一定時間維持されることを圧力計２２にて確認可能である。圧力が一定時間（例えば１分など適宜設定可能）維持できなければ、検査対象空間ＳＰ１が密閉構造になっておらず不良と判断できる。圧力が一定時間維持できれば、検査対象空間ＳＰ１が密閉構造になっていると判断できる。
【００２５】
さらに、ポンプで空気を入れて加圧する場合は清潔とはいえない空気を検査対象空間ＳＰ１に入れることになるので、衛生面で問題がある。しかし、本考案では、検査対象空間ＳＰ１から空気を抜くだけであり、衛生面を確保可能である。
【００２６】
本実施形態では、操作部の操作に応じて凹部空間ＳＰ２へ外気を取り込むための流入路２３が形成されており、流入路２３にはエアフィルタ２４が設けられている。
【００２７】
凹部空間ＳＰ２を介して検査対象空間ＳＰ１から空気を抜いて検査が完了した後に、逆に空気を流入させる必要がある。この構成によれば、エアフィルタ２４によって綺麗になった空気のみが凹部空間ＳＰ２を介して検査対象空間ＳＰ１に取り込まれるので、衛生面をより的確に確保可能である。
【００２８】
本実施形態では、弾性体ヘッド２０、真空ポンプ２１及び圧力計２２の全てが一体的に固定されたハンディタイプである。
【００２９】
この構成によれば、片手で持ちやすく、取り扱いが容易となる。
【００３０】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００３１】
なお、上記の各実施形態で採用している構造を他の任意の実施形態に採用することは可能である。各部の具体的な構成は、上述した実施形態のみに限定されるものではなく、本考案の趣旨を逸脱しない範囲で種々変形が可能である。
【符号の説明】
【００３２】
１…飲料水供給装置
２０…弾性体ヘッド
２１…真空ポンプ
２２…圧力計
２３…流入路
２４…エアフィルタ
ＳＰ１…検査対象空間
ＳＰ２…凹部空間
【図１】
0003209271.tif 000003
【図２】
0003209271.tif 000004